(57)【要約】【課題】ユーザの視聴状況に応じて、コンテンツの種類に適した表示コンテンツの取り扱いを行えるコンテンツ録画再生装置を提供することを目的とする。【解決手段】コンテンツを視聴するユーザが視聴を中断した場合において、コンテンツが視聴を一時停止可能なものであるときは一時停止するとともに一時停止した時点に対応する視聴位置を記憶し、一時停止不能なものであるときはコンテンツの記録を開始するように、コンテンツ録画再生装置を構成する。【選択図】図１
2009081653.tif 000002
【特許請求の範囲】
【請求項１】
コンテンツを視聴するユーザが視聴を中断した場合において、該コンテンツが視聴を一時停止可能なものであるときは一時停止するとともに一時停止した時点に対応する視聴位置を記憶し、一時停止不能なものであるときは該コンテンツの記録を開始することを特徴とする、コンテンツ録画再生装置。
【請求項２】
コンテンツを受信する受信手段と、
前記受信手段が受信するコンテンツを蓄積手段に蓄積させる記録手段と、
前記蓄積手段に蓄積されたコンテンツを再生する再生手段と、
前記受信手段が受信する受信コンテンツと前記再生手段が再生する再生コンテンツとを表示装置に表示可能に出力する表示手段と、
前記表示手段に出力されているコンテンツをユーザが視聴しているかどうかを検出する視聴状態検出手段と、
前記表示手段に表示されているコンテンツが、前記受信コンテンツであるか前記再生コンテンツであるかを検出する表示内容検出手段と、
前記視聴状態検出手段によってユーザが視聴していないことが検出された場合において、前記表示内容検出手段の検出する表示内容が前記受信コンテンツであるときに、前記記録手段に該コンテンツの記録を開始させ、前記表示内容検出手段の検出する表示内容が前記再生コンテンツであるときに、前記再生手段に前記再生コンテンツの再生を停止させる制御手段とを有することを特徴とする、コンテンツ録画再生装置。
【請求項３】
コンテンツを受信する受信手段と、
前記受信手段が受信するコンテンツを蓄積手段に蓄積させる記録手段と、
前記蓄積手段に蓄積されたコンテンツを再生する再生手段と、
前記受信手段が受信する受信コンテンツと前記再生手段が再生する再生コンテンツとを表示装置に表示可能に出力する表示手段と、
前記表示手段に出力されているコンテンツをユーザが視聴しているかどうかを検出する視聴状態検出手段と、
前記表示手段に表示されているコンテンツが、前記受信コンテンツであるか前記再生コンテンツであるかを検出する表示内容検出手段と、
前記視聴状態検出手段によってユーザが視聴していないことが検出された場合において、前記表示内容検出手段の検出する表示内容が前記受信コンテンツであるときに、前記記録手段に該コンテンツの記録を開始させ、前記表示内容検出手段の検出する表示内容が前記再生コンテンツであるときに、所望の時点に対応する該コンテンツの再生位置を記憶する再生位置記憶手段にその時点に対応する再生位置を記憶させる制御手段とを有することを特徴とする、コンテンツ録画再生装置。
【請求項４】
表示手段が、コンテンツを受信する受信手段が受信する受信コンテンツと、蓄積手段に蓄積されたコンテンツを再生手段が再生する再生コンテンツとを表示装置に出力する第１のステップと、
視聴状態検出手段が前記表示手段に出力されているコンテンツをユーザが視聴しているか否かを検出する第２のステップと、
前記第２のステップにおいて、前記表示手段に出力されているコンテンツをユーザが視聴していないことが検出されたときに、表示内容検出手段が、前記表示手段に表示されているコンテンツが、一時停止可能なコンテンツであるか否か検出する第３のステップと、
前記第３のステップにおいて、前記表示手段に表示されているコンテンツが一時停止可能なコンテンツであると検出されたときに、制御手段が、前記再生手段に再生を一時停止させる第４のステップと、
前記第３のステップにおいて、前記表示手段に表示されているコンテンツが一時停止可能なコンテンツでないと検出されたときに、制御手段が、前記蓄積手段に前記表示手段に表示されているコンテンツを蓄積させる第５のステップとを有することを特徴とする、コンテンツ表示方法。
【発明の詳細な説明】
【技術分野】
【０００１】
本発明は、コンテンツの録画と再生が可能なコンテンツ録画再生装置に関し、より詳細には、ユーザの視聴状況に応じて表示コンテンツの取り扱いを制御するコンテンツ録画再生装置に関する。
【背景技術】
【０００２】
テレビジョン放送の視聴を就寝前に行う場合、ユーザは、視聴途中で就寝することになるため、就寝後のテレビジョン放送を視聴することができない。特許文献１では、ユーザの顔画像を検出し、ユーザが所定時間以上目を閉じていると判断したときに、その時刻の録画位置を記録するとともに一定時間経過するごとに古い録画データから順に消去する簡易録画を無効にして、通常録画状態で受信番組の録画を行う放送信号受信システムが開示されている。
【０００３】
また、ＤＶＤビデオなどのコンテンツの視聴を就寝時に行う場合、ユーザは、視聴途中で就寝することになるため、就寝時点でのコンテンツの再生位置がわからなくなってしまう。したがって、コンテンツの続きを視聴しようとするユーザは、就寝時点でのコンテンツの再生位置を、サーチ等を行いつつ探さねばならない。特許文献２では、ユーザの眼球運動等を検出し、ユーザが睡眠状態にあって視聴を中断したと判断されたときに、中断したと判定された時点での記録媒体におけるコンテンツの位置を記憶する視聴中断位置記憶装置が開示されている。
【０００４】
【特許文献１】特開２００６−２１１０６１号公報
【特許文献２】特開２００５−２１８０２５号公報
【発明の開示】
【発明が解決しようとする課題】
【０００５】
コンテンツ録画再生装置においては、ユーザは、放送局から受信しているテレビジョン放送などの視聴を一時停止することのできないコンテンツと、放送局から受信された後に再生されているテレビジョン放送やＤＶＤビデオといった視聴を一時停止することのできないコンテンツとを、同一の装置で視聴することができる。就寝前のコンテンツの視聴をこのようなコンテンツ録画再生装置で行う場合、特許文献１に開示される発明を適用すると、視聴を一時停止することのできるコンテンツに対しても新たな録画を開始することとなり、録画領域が無駄になるという問題を生ずる。
【０００６】
一方、特許文献２に開示される発明を適用したコンテンツ録画再生装置で就寝前のコンテンツの視聴を行うと、視聴を一時停止することのできないコンテンツに対してもコンテンツの位置を記憶するのみとなって、結局見逃したコンテンツを後で視聴することができず、ユーザの要求を見たすことができないという問題を生ずる。
【０００７】
そこで、本発明は、ユーザの視聴状況に応じて、コンテンツの種類に適した表示コンテンツの取り扱いを行えるコンテンツ録画再生装置を提供することを目的とする。
【課題を解決するための手段】
【０００８】
本発明の第１のコンテンツ録画再生装置は、コンテンツを視聴するユーザが視聴を中断した場合において、該コンテンツが視聴を一時停止可能なものであるときは一時停止するとともに一時停止した時点に対応する視聴位置を記憶し、一時停止不能なものであるときは該コンテンツの記録を開始することを特徴とする。
【０００９】
本発明の第２のコンテンツ録画再生装置は、コンテンツを受信する受信手段と、前記受信手段が受信するコンテンツを蓄積手段に蓄積させる記録手段と、前記蓄積手段に蓄積されたコンテンツを再生する再生手段と、前記受信手段が受信する受信コンテンツと前記再生手段が再生する再生コンテンツとを表示装置に表示可能に出力する表示手段と、前記表示手段に出力されているコンテンツをユーザが視聴しているかどうかを検出する視聴状態検出手段と、前記表示手段に表示されているコンテンツが、前記受信コンテンツであるか前記再生コンテンツであるかを検出する表示内容検出手段と、前記視聴状態検出手段によってユーザが視聴していないことが検出された場合において、前記表示内容検出手段の検出する表示内容が前記受信コンテンツであるときに、前記記録手段に該コンテンツの記録を開始させ、前記表示内容検出手段の検出する表示内容が前記再生コンテンツであるときに、前記再生手段に前記再生コンテンツの再生を停止させる制御手段とを有することを特徴とする。
【００１０】
本発明の第３のコンテンツ録画再生装置は、コンテンツを受信する受信手段と、前記受信手段が受信するコンテンツを蓄積手段に蓄積させる記録手段と、前記蓄積手段に蓄積されたコンテンツを再生する再生手段と、前記受信手段が受信する受信コンテンツと前記再生手段が再生する再生コンテンツとを表示装置に表示可能に出力する表示手段と、前記表示手段に出力されているコンテンツをユーザが視聴しているかどうかを検出する視聴状態検出手段と、前記表示手段に表示されているコンテンツが、前記受信コンテンツであるか前記再生コンテンツであるかを検出する表示内容検出手段と、前記視聴状態検出手段によってユーザが視聴していないことが検出された場合において、前記表示内容検出手段の検出する表示内容が前記受信コンテンツであるときに、前記記録手段に該コンテンツの記録を開始させ、前記表示内容検出手段の検出する表示内容が前記再生コンテンツであるときに、所望の時点に対応する該コンテンツの再生位置を記憶する再生位置記憶手段にその時点に対応する再生位置を記憶させる制御手段とを有することを特徴とする。
【００１１】
本発明のコンテンツ表示方法は、表示手段が、コンテンツを受信する受信手段が受信する受信コンテンツと、蓄積手段に蓄積されたコンテンツを再生手段が再生する再生コンテンツとを表示装置に出力する第１のステップと、視聴状態検出手段が前記表示手段に出力されているコンテンツをユーザが視聴しているか否かを検出する第２のステップと、前記第２のステップにおいて、前記表示手段に出力されているコンテンツをユーザが視聴していないことが検出されたときに、表示内容検出手段が、前記表示手段に表示されているコンテンツが、一時停止可能なコンテンツであるか否か検出する第３のステップと、前記第３のステップにおいて、前記表示手段に表示されているコンテンツが一時停止可能なコンテンツであると検出されたときに、制御手段が、前記再生手段に再生を一時停止させる第４のステップと、前記第３のステップにおいて、前記表示手段に表示されているコンテンツが一時停止可能なコンテンツでないと検出されたときに、制御手段が、前記蓄積手段に前記表示手段に表示されているコンテンツを蓄積させる第５のステップとを有することを特徴とする。
【発明の効果】
【００１２】
本発明によれば、ユーザの視聴状況に応じて、コンテンツの種類に適した表示コンテンツの取り扱いを行えるコンテンツ録画再生装置を提供することができる。
【発明を実施するための最良の形態】
【００１３】
以下、図面を参照して本発明を実施するための最良の形態について詳細に説明する。本発明の実施形態のコンテンツ録画再生装置の概略を説明すると、コンテンツ録画再生装置は、コンテンツの録画および再生が可能な装置であって、再生したコンテンツを表示装置に表示させることにより、ユーザはコンテンツを視聴することができる。
【００１４】
図１は、本発明の実施形態のコンテンツ録画再生装置の構成を示すブロック図である。図１を参照すると、本実施形態のコンテンツ録画再生装置１０は、液晶ディスプレイに例示される、コンテンツを表示可能な表示装置２０と接続される。
【００１５】
コンテンツ録画再生装置は、例えばハードディスクレコーダであり、受信手段１１、記録手段１２、蓄積手段１３、再生手段１４、表示手段１５、視聴状態検出手段１６、表示状態検出手段１７、制御手段１８、および再生位置記憶手段１９を有する。
【００１６】
受信手段１１は、例えばテレビチューナであり、装置外部から電波、ネットワークその他の方法により放送信号を受信し、放送信号からコンテンツを抽出する。記録手段１２は、例えば所定のプログラムを実行するマイクロプロセッサ、または、専用ＬＳＩであり、入力されたコンテンツを後述する蓄積装置に蓄積するのに適した形式で出力する。蓄積手段１３は、例えばハードディスクであり、入力されたコンテンツを蓄積する。
【００１７】
再生手段１４は、例えば所定のプログラムを実行するマイクロプロセッサ、または、専用ＬＳＩであり、入力されたコンテンツを後述する表示手段が表示装置２０に表示させるのに適した形式で出力する。蓄積手段１３に蓄積されたコンテンツの他、図示しない光ディスクドライブ装置で光ディスクから読み取ったコンテンツも、再生装置１４に入力されるよう構成することができる。表示手段１５は、例えば画像処理プロセッサであり、入力されたコンテンツを表示装置２０に出力する。
【００１８】
視聴状態検出手段１６は、例えば小型ビデオカメラであり、ユーザが表示装置２０に出力されるコンテンツを視聴しているか否かを検出する。表示状態検出手段１８は、例えば所定のプログラムを実行するマイクロプロセッサであり、表示手段１５が出力しているコンテンツが一時停止可能なものであるかどうかを検出する。ここで、一時停止可能なコンテンツとは例えば再生手段１４から入力されているコンテンツであり、一時停止可能でないコンテンツとは例えば受信手段１１から入力されているコンテンツである。
【００１９】
制御手段１８は、例えば所定のプログラムを実行するマイクロプロセッサであり、視聴状態検出手段１６と表示状態検出手段１７の検出結果に応じて、コンテンツ録画再生装置１０を構成する各手段を制御する。再生位置記憶手段１９は、例えばフラッシュメモリであり、制御手段１８の制御に応じて、再生手段１４が再生しているコンテンツの位置を記憶する。なお、再生位置記憶手段１９は、蓄積手段１３を構成する装置の別領域を使用して構成することもできる。
【００２０】
図２は、本発明の実施形態のコンテンツ録画再生装置がユーザの視聴状況に応じて表示コンテンツを取り扱うときの動作を説明する流れ図である。図２を参照すると、視聴状態検出手段１６は、ユーザが表示装置２０に出力されるコンテンツを視聴しているか否かを検出する（ステップＳ１）。ユーザが視聴を中断したと判断されるまでは、このステップを繰り返す。
【００２１】
ステップＳ１でユーザが視聴を中断したと判断された場合、表示状態検出手段１７は、表示手段１５が出力しているコンテンツが一時停止可能なものであるかどうかを検出する（ステップＳ２）。
【００２２】
ステップＳ２で、表示手段１５が出力しているコンテンツが一時停止可能なものであると検出された場合、制御手段１８は、再生手段１４にコンテンツの再生を一時停止させる（ステップＳ３）。続いて、制御手段１８は、再生位置記憶手段１９に一時停止させた時点に対応する再生位置を記憶させる（ステップＳ４）。
【００２３】
ステップＳ２で、表示手段１５が出力しているコンテンツが一時停止可能なものでないと検出された場合、制御手段１８は、記録手段１２を制御し、蓄積手段１３にコンテンツを記録させる（ステップＳ５）。続いて、制御手段１８は、記録しているコンテンツが終了したか否かを検出する（ステップＳ６）。例えばコンテンツが放送番組であるとき、放送番組に対応する番組情報を受信し、番組情報に含まれる放送時間と現在の時間とを比較することで、終了したか否かを検出することができる。コンテンツが終了したと判断されるまでは、このステップを繰り返す。
【００２４】
ステップＳ６でコンテンツが終了したと判断された場合、制御手段１８は、記録手段１２を制御し、蓄積手段１３へのコンテンツの記録を終了させる（ステップＳ７）。
【図面の簡単な説明】
【００２５】
【図１】本発明の実施形態のコンテンツ録画再生装置の構成を示すブロック図である。
【図２】本発明の実施形態のコンテンツ録画再生装置の動作を説明する流れ図である。
【符号の説明】
【００２６】
１０  コンテンツ録画再生装置
１１  受信手段
１２  記録手段
１４  再生手段
１６  視聴状態検出手段
１７  表示状態検出手段
１８  制御手段
２０  表示装置
【図１】
2009081653.tif 000003
【図２】
2009081653.tif 000004